(57)【要約】【課題】ダビングや録画の設定条件の設定操作を簡単にし、設定条件を設定する際の手間を大幅に省いた記録読取装置を提供する。【解決手段】制御部２は、図５に示すファンクション画面をＴＶ３００でＯＳＤ表示する。ユーザは、このファンクション画面を見て、希望の設定条件に対応する番号列を複数の番号キー２０５の操作により入力する。番号列が入力されると、制御部２は、その番号列に対応する設定条件が設定テーブル１１１Ａにあるかどうかを判断する。入力された番号列に対応する設定条件が設定テーブル１１１Ａにある場合、制御部２は、設定テーブル１１１Ａの複数の設定条件の内の、該番号列に対応する１つの設定条件に従って、ダビング処理を実行する。このように、ユーザは、希望の設定条件に対応する番号列を入力するだけで、希望の設定条件に従ってダビングできる。【選択図】  図５
2008287840.tif 000002
【特許請求の範囲】
【請求項１】
第１のメディアに対するデータの記録又は読取を行う第１のドライブと、
第２のメディアに対するデータの記録又は読取を行う第２のドライブと、
前記両ドライブを制御して、前記第１のメディアに記録されているデータを読取って前記第２のメディアに記録するダビング処理、又は、入力ソースから入力されてきたコンテンツデータを前記第１のメディア又は前記第２のメディアに記録する録画処理、を、設定された設定条件に従って実行する制御手段と、
を備える記録読取装置において、
それぞれ異なる記号で表される複数の記号キーであって該記号の入力を受付ける複数の記号キーを有する操作手段と、
前記記号の組み合わせからなる記号列がそれぞれ異なる複数の記号列と、前記設定条件の内容がそれぞれ異なる複数の設定条件と、が対応付けて予め記述された設定テーブルと、を備え、
前記制御手段は、前記複数の記号キーの操作により前記記号列が入力されると、前記設定テーブルの前記複数の設定条件の内の、該記号列に対応する１つの設定条件に従って、前記ダビング処理または前記録画処理を実行する記録読取装置。
【請求項２】
予め定められた所定のタイミングで、前記設定テーブルの内容を表示する表示手段を備える請求項１に記載の記録読取装置。
【請求項３】
前記録画処理における前記設定条件は、録画画質、録画時間を含み、
前記ダビング処理における前記設定条件は、ダビング画質、ダビング時間を含む請求項１又は２に記載の記録読取装置。
【請求項４】
前記制御手段により実行された前記ダビング処理または前記録画処理の前記設定条件を、履歴として記憶する履歴テーブルを備え、
前記制御手段は、前記履歴の頻度が多い前記設定条件から順番に前記記号列を対応付けて記述した前記設定テーブルを作成する請求項１から３のいずれかに記載の記録読取装置。
【請求項５】
前記第１のメディアは、ハードディスクであり、
前記第２のメディアは、光ディスクである請求項１から４のいずれかに記載の記録読取装置。
【発明の詳細な説明】
【技術分野】
【０００１】
本発明は、ハードディスクや光ディスクなどの複数のメディアに対し、データの記録又は読取りを行う記録読取装置に関し、特に、設定された設定条件に従ってダビングや録画を実行する記録読取装置に関するものである。
【背景技術】
【０００２】
従来から、ハードディスクや光ディスクなどの複数のメディアに対し、データの記録又は読取りを行う記録読取装置が各種考案されている。例えば記録読取装置の１つであるハードディスク付き光ディスクレコーダは、光ディスクに対しデータの記録又は読取りを行う光ディスクドライブと、ハードディスク（以下、「ＨＤ」と称する。）に対しデータの記録又は読取りを行うハードディスクドライブ（以下、「ＨＤＤ」と称する。）と、を備える。光ディスクは、例えばブルーレイディスク、又はＤＶＤである。
【０００３】
このＨＤ付き光ディスクレコーダでは、ダビング機能や録画機能を有する装置が多い。ここで、ダビングは、ＨＤに記録されているデータを読取って光ディスクに記録する処理である。又は、録画は、入力ソースから入力されてきたコンテンツデータをＨＤ又は光ディスクに記録する処理である。
ダビング又は録画を行う場合、ユーザは、ダビング又は録画の設定条件を設定する必要がある。この設定方法や設定条件の意味が分からない場合、ユーザは、装置の取扱い方法が印刷された説明書を見て、設定条件を設定する。この設定条件は、例えば録画画質、録画時間である。これにより、ＨＤ付き光ディスクレコーダは、設定された設定条件に従ってダビングや録画を実行する。
一方、特許文献１では、ガイダンスシステムが提案されている。
【特許文献１】特開２００１−２３６１５５公報
【発明の開示】
【発明が解決しようとする課題】
【０００４】
しかしながら、複数のメディアに対しデータの記録又は読取りを行うＨＤ付き光ディスクレコーダでは、上記ダビングや上記録画で設定しなければならない設定条件（設定項目）が多く、複雑である。さらに、説明書の文章を読み、説明に該当する機能をリモコンの操作盤で探し、説明に記載された操作をユーザ自ら行うのは、非常に大変である。
よって、従来の記録読取装置では、ダビングや録画の設定条件を設定する際に非常に手間がかかっていた。従って、ユーザの使い勝手が非常に悪かった。
【０００５】
本発明はこのような従来の課題を解決しようとするものであり、ダビングや録画の設定条件の設定操作を簡単にし、設定条件を設定する際の手間を大幅に省いた記録読取装置を提供することを目的とする。
【課題を解決するための手段】
【０００６】
本発明の記録読取装置は、前記課題を解決するために以下の構成を備えている。
【０００７】
（１）第１のメディアに対するデータの記録又は読取を行う第１のドライブと、
第２のメディアに対するデータの記録又は読取を行う第２のドライブと、
前記両ドライブを制御して、前記第１のメディアに記録されているデータを読取って前記第２のメディアに記録するダビング処理、又は、入力ソースから入力されてきたコンテンツデータを前記第１のメディア又は前記第２のメディアに記録する録画処理、を、設定された設定条件に従って実行する制御手段と、
を備える記録読取装置において、
それぞれ異なる記号で表される複数の記号キーであって該記号の入力を受付ける複数の記号キーを有する操作手段と、
前記記号の組み合わせからなる記号列がそれぞれ異なる複数の記号列と、前記設定条件の内容がそれぞれ異なる複数の設定条件と、が対応付けて予め記述された設定テーブルと、を備え、
前記制御手段は、前記複数の記号キーの操作により前記記号列が入力されると、前記設定テーブルの前記複数の設定条件の内の、該記号列に対応する１つの設定条件に従って、前記ダビング処理または前記録画処理を実行する。
【０００８】
この構成において、第１のメディアは、ハードディスクである。また、第２のメディアは、半導体メモリ、光ディスクである。半導体メモリは、例えばフラッシュメモリである。また、記号は、例えば番号（数字）、アルファベットである。
また、設定テーブルには、エンドユーザがよく行う設定条件を推定して、推定した設定条件だけを記号列に対応付けて予め記述しておく。そして、記録読取装置に付属する説明書に、両者の対応関係を記載しておくと良い。ユーザは、この説明書を見て、又は過去に記号列を入力した時の記憶を手がかりに、希望の設定条件に対応する記号列を複数の記号キーの操作により入力する。すると、制御手段が、その記号列に対応する設定条件に従って、ダビング処理または録画処理を実行する。即ち、記録読取装置が、データを、希望の設定条件に従ってダビング又は録画する。
以上より、ユーザは、希望の設定条件に対応する番号列を入力するだけで、希望の設定条件に従ってダビング又は録画できる。そのため、ダビングや録画の設定条件を設定する際にかかる手間を省くことができる。従って、ユーザの使い勝手を向上させることができる。
【０００９】
（２）予め定められた所定のタイミングで、前記設定テーブルの内容を表示する表示手段を備える。
【００１０】
この構成では、ユーザは、設定テーブルの内容を見て、複数の記号キーの操作により記号列を入力する。この表示により、ユーザは、説明書を見なくとも済む。そのため、ダビングの設定条件を設定する際にかかる手間を一層省くことができる。従って、ユーザの使い勝手を一層向上させることができる。
【００１１】
（３）前記録画処理における前記設定条件は、録画画質、録画時間を含み、
前記ダビング処理における前記設定条件は、ダビング画質、ダビング時間を含む。
【００１２】
（４）前記制御手段により実行された前記ダビング処理または前記録画処理の前記設定条件を、履歴として記憶する履歴テーブルを備え、
前記制御手段は、前記履歴の頻度が多い前記設定条件から順番に前記記号列を対応付けて記述した前記設定テーブルを作成する。
【００１３】
この構成では、ユーザが設定条件を設定してダビング又は録画を行う都度に、その設定条件を履歴テーブルに記録していく。そして、制御手段が、その履歴に応じて設定テーブルを作成する。
これにより、記録読取装置を購入したユーザの使用方法に応じた設定テーブルを作成できる。
【００１４】
（５）前記第１のメディアは、ハードディスクであり、
前記第２のメディアは、光ディスクである。
【００１５】
この構成において、光ディスクは、例えばブルーレイディスク、又はＤＶＤである。
【発明の効果】
【００１６】
この発明によれば、ダビングや録画の設定条件を設定する際にかかる手間を省くことができる。従って、ユーザの使い勝手を向上させることができる。
【発明を実施するための最良の形態】
【００１７】
以下、本発明の実施形態である記録読取装置について説明する。
【００１８】
図１は、本発明の実施形態であるＨＤ付きＤＶＤレコーダの構成を示すブロック図である。ＨＤ付きＤＶＤレコーダ１は、記録指示に応じて入力されたデータを所定のメディアに記録し、且つ再生指示に応じて既に記録されているデータを再生する記録再生部１０４と、記録再生部１０４への記録動作及び記録再生部１０４からの再生動作、及び以下に説明する各部の動作を制御する制御部２と、を備える。
【００１９】
記録再生部１０４は、ＤＶＤ１００（Ｄｉｇｉｔａｌ  Ｖｅｒｓａｔｉｌｅ  Ｄｉｓｋ）に対する（ＴＶ番組等の）コンテンツデータの記録及び読取を行う光ディスクドライブ２０と、内蔵するＨＤ３０Aに対する（ＴＶ番組等の）コンテンツデータの記録及び読取を行うＨＤＤ（ハードディスクドライブ）３００と、データプロセッサ４０と、を備える。
ＤＶＤ１００は、追記録可能なＤＶＤ−Ｒや書換え可能なＤＶＤ−ＲＡＭ等の記録可能光ディスクとする。
なお、この実施形態では、ＤＶＤ１００で説明しているが、実施の際は、ブルーレイディスクでも構わない。
【００２０】
さらに、ＨＤ付きＤＶＤレコーダ１は、ＡＶ入力端子１０１と、チューナ１０２と、エンコーダ１０３と、デコーダ１０６と、出力部１０７と、ＯＳＤ生成部１０８と、ＴＶ（テレビジョン）３００が接続されるＡＶ出力端子１０９と、受信部１１０と、記憶部１１１と、を備える。
【００２１】
まず、録画時について説明する。
ＡＶ入力端子１０１は、記録対象である映像信号や音声信号等をＨＤ付きＤＶＤレコーダ１の外部から入力し、接続されているエンコーダ１０３に出力する。外部には、例えばインターネットが接続されている。
【００２２】
チューナ１０２は、例えば放送事業者から配信されるテレビ放送信号が受信されるアンテナ（不図示）と接続されている。そして、チューナ１０２は、アンテナで受信したテレビ放送信号から選択されているチャンネルのテレビ放送信号を抽出し、エンコーダ１０３に出力する。
なお、この実施形態では、ＡＶ入力端子１０１及びチューナ１０２が、本発明の「入力ソース」に相当する。
【００２３】
エンコーダ１０３は、ＡＶ入力端子１０１から入力された映像信号や音声信号を（例えばＭＰＥＧ２で）エンコードして圧縮し、コンテンツデータとして、データプロセッサ４０に出力する。
また、エンコーダ１０３は、チューナ１０２から入力されたテレビ放送信号から映像信号、音声信号を分離する。そして、エンコーダ１０３は、映像信号や音声信号を（例えばＭＰＥＧ２で）エンコードして圧縮し、コンテンツデータとして、データプロセッサ４０に出力する。
【００２４】
データプロセッサ４０は、制御部２の制御に従って、エンコーダ１０３から出力されたコンテンツデータを、光ディスクドライブ２０とＨＤＤ３０とのいずれか一方に供給する。
なお、ダビング時において、データプロセッサ４０は、制御部２の制御に従って、光ディスクドライブ２０から読み出されたデータをＨＤＤ３０に供給したり、ＨＤＤ３０から読み出されたデータを光ディスクドライブ２０に供給したりする。この際、データプロセッサ４０は、制御部２から指示された画質に従って、データの画質を調節する。また、データプロセッサ４０は、制御部２から指示されたチャプタの有の指示に従って、データにチャプタを付ける。
【００２５】
次に、再生時について説明する。
データプロセッサ４０は、ＤＶＤ１００の映像音声データを光ディスクドライブ２０から取り込んで、デコーダ１０６に供給する。または、データプロセッサ４０は、ＨＤ３０Ａの映像音声データをＨＤＤ３０から取り込んで、デコーダ１０６に供給する。
【００２６】
デコーダ１０６は、記録再生部１０４から出力された映像音声データをデコードして伸長する。デコーダ１０６は、デコードされた映像音声データを、テレビ等の再生装置に供給するためのＡＶ出力端子１０９が接続されている。
【００２７】
ＯＳＤ生成部１０８は、制御部２から入力されるデータに基づいて、ＯＳＤ（on screen display）画像を示すＯＳＤ画像データを生成する。そして、ＯＳＤ生成部１０８は、ＯＳＤ画像データを出力部１０７に出力する。
【００２８】
出力部１０７は、ＯＳＤ画像データおよび映像データを入力して、制御部２の制御のもとにいずれかを選択的に受取り、ＡＶ出力端子１０９を介してＴＶ３００に出力する。または、セレクタ１８は、制御部２の制御のもとに、ＯＳＤ画像データと映像音声データ中の映像データとを合成し、ＡＶ出力端子１０９を介してＴＶ３００に出力する。さらに、セレクタ１８は、映像音声データ中の音声データも、ＴＶ３００に出力する。
【００２９】
以上により、ＴＶ３００は、ＡＶ出力端子１０９を介して与えられる映像データに基づく画面、与えられる合成画像信号に基づく画面、または与えられるＯＳＤ画像データに基づくＯＳＤのみの画面を再生する。さらに、音声信号も、ＴＶ３００に設けられているスピーカで処理され、音声がそのスピーカから再生される。この結果、ユーザは、このＴＶ３００において、テレビ番組を視聴する。
【００３０】
記憶部１１１は、例えばＥＥＰＲＯＭで構成される。記憶部１１１は、装置本体各部の制御方法が記述された制御プログラムを格納する。
【００３１】
図２は、図１に示すリモコン２００の概略図である。リモコン２００は、制御信号を送信する赤外LED２０１と、番号入力を開始するためのトリガとなるファンクションキー（以下、Ｆキーと称する）２０７、番号の入力を受付ける複数の番号キー２０５、入力した番号を確定するための決定キー２０４、方向キー、及びその他の操作キーを有している。複数の番号キー２０５は、それぞれ異なる番号で表されている。ユーザは、これらのキー操作により、録画、再生、ダビング、及び録画予約の設定等を行う。リモコン２００は、操作されたキーに応じた制御信号を赤外LED２０１から送信する。
【００３２】
受信部１１０は、リモコン２００から送信された制御信号を受信し、その制御信号を制御部２へ出力する。
【００３３】
制御部２は、例えばマイクロコンピュータで構成される。制御部２は、記憶部１１１に記憶されている制御プログラムで処理されるデータを展開するためのワークフィールドとしてのＲＡＭ（不図示）と、後述の録画時間やダビング時間を計測するタイマー回路（不図示）と、を内蔵する。
制御部２は、リモコン２００から送信された制御信号に従って、ＨＤ３０Ａ及びＤＶＤ１００に対するデータの記録動作、読取動作等を制御する。
【００３４】
ここで、ダビングと録画を代表して、ダビングの設定条件の設定について以下詳述していく。
【００３５】
図３は、設定テーブル１１１Ａの記憶内容を示す図である。記憶部１１１は、設定テーブル１１１Ａを記憶する。設定テーブル１１１Ａは、番号の組み合わせからなる番号列がそれぞれ異なる複数の番号列と、設定条件の内容がそれぞれ異なる複数の設定条件と、が対応付けて予め記述されたテーブルである。ここで、設定テーブル１１１Ａには、エンドユーザがよく行う設定条件を推定して、推定した設定条件だけを番号列に対応付けて予め記述しておく。そして、ＨＤ付きＤＶＤレコーダ１に付属する説明書に、両者の対応関係を記載しておく。
【００３６】
図４は、本発明の実施形態であるＨＤ付きＤＶＤレコーダの制御部２が行う動作を示すフローチャートである。この動作は、ユーザがＦキー２０７を押下した時の動作である。また、図５は、ＴＶ３００で表示されるファンクション画面の一例を示す図である。
【００３７】
まず、制御部２は、設定テーブル１１１Ａの内容を示すＯＳＤ画像データをＯＳＤ生成部１０８に生成させて、図５に示すファンクション画面をＴＶ３００でＯＳＤ表示する（Ｓ１）。ユーザは、このファンクション画面を見て、希望の設定条件に対応する番号列を複数の番号キー２０５の操作により入力する。このため、ユーザが説明書を見る手間を省くことができる。また、制御部２は、図５に示すファンクション画面の右下に、複数の番号キー２０５の操作により入力した番号を、入力確認用としてＯＳＤ表示しておく。これにより、ユーザは、自分の入力した番号が受付けられていることを確認できる。
なお、この実施形態では、図５に示すファンクション画面を表示しているが、実施の際は、Ｓ１をスルーしても良い。この場合、ユーザは、上記の説明書を見て、希望の設定条件に対応する番号列を複数の番号キー２０５の操作により入力する。そして、入力完了後、ユーザは決定キー２０４を操作して番号列を確定する。
【００３８】
番号列が入力されて決定キー２０４が操作されるのを待って（Ｓ２）、制御部２は、その番号列に対応する設定条件が設定テーブル１１１Ａにあるかどうかを判断する（Ｓ３）。例えば、入力された番号列が「１３２５」であれば（図５参照）、図３の設定テーブル１１１Ａの上から２つ目に設定条件が記述されているため、判断肯定となる。
【００３９】
そして、入力された番号列に対応する設定条件が設定テーブル１１１Ａにある場合、制御部２は、設定テーブル１１１Ａの複数の設定条件の内の、該番号列に対応する１つの設定条件に従って、ダビング処理を実行する（Ｓ４）。例えば、入力された番号列が「１３２５」であれば（図５参照）、制御部２は、図３の設定テーブル１１１Ａの上から２つ目の設定条件に従って、ダビング処理を実行する。即ち、ＨＤ付きＤＶＤレコーダ１は、データを、ＨＤ３０ＡからＤＶＤ１００へ、ＳＰ（Standard Play）モードの画質で、３０分間、チャプタを付けてダビングする。
【００４０】
以上より、ユーザは、希望の設定条件に対応する番号列を入力するだけで、希望の設定条件に従ってダビングできる。そのため、ダビングの設定条件を設定する際にかかる手間を省くことができる。従って、ユーザの使い勝手を向上させることができる。
また、図５に示すファンクション画面の表示により、ユーザが説明書を見る手間を省くことができる。そのため、ダビングの設定条件を設定する際にかかる手間を一層省くことができる。従って、ユーザの使い勝手を一層向上させることができる。
【００４１】
一方、入力された番号列に対応する設定条件が設定テーブル１１１Ａに無い場合、制御部２は、入力された番号列に対応する設定条件が存在しない旨のＮＧメッセージをＴＶ３００で表示する（Ｓ５）。そして、制御部２は、入力確認用の番号列をリセットし（Ｓ６）、Ｓ２に戻り処理を継続する。これにより、ユーザは、このＮＧメッセージを見て、複数の番号キー２０５の操作により番号列を再び入力する。
【００４２】
なお、上記の設定テーブル１１１Ａは、ユーザがよく行う設定条件を推定して予め作成されている。しかし、ＨＤ付きＤＶＤレコーダ１に、上記の設定テーブル１１１Ａを作成させても構わない。その作成方法について以下説明する。
【００４３】
図６は、履歴テーブル１１１Ｂの記憶内容を示す図である。記憶部１１１に、履歴テーブル１１１Ｂを記憶させる（図１参照）。履歴テーブル１１１Ｂは、実行されたダビング処理または録画処理の設定条件が、履歴として制御部２に記録されるテーブルである。履歴テーブル１１１Ｂでは、その設定条件が設定された回数を、頻度として記憶する。ユーザが設定条件を設定してダビング又は録画を行う都度に、その設定条件を履歴テーブル１１１Ｂに記録していく。
そして、制御部２は、履歴の頻度が多い設定条件から順番に番号列を対応付けて記述して設定テーブル１１１Ａを作成する。これにより、ＨＤ付きＤＶＤレコーダ１を購入したユーザの使用方法に応じた設定テーブル１１１Ａを作成できる。
【図面の簡単な説明】
【００４４】
【図１】本発明の実施形態であるＨＤ付きＤＶＤレコーダの構成を示すブロック図
【図２】図１に示すリモコンの概略図
【図３】設定テーブル１１１Ａの記憶内容を示す図
【図４】本発明の実施形態であるＨＤ付きＤＶＤレコーダの制御部２が行う動作を示すフローチャート
【図５】ＴＶ３００で表示されるファンクション画面の一例を示す図
【図６】履歴テーブル１１１Ｂの記憶内容を示す図
【符号の説明】
【００４５】
１−ＤＶＤレコーダ
２−制御部
１８−セレクタ
２０−光ディスクドライブ
３０Ａ−ＨＤ
３０−ＨＤＤ
４０−データプロセッサ
１００−ＤＶＤ
１０１−ＡＶ入力端子
１０２−チューナ
１０３−エンコーダ
１０４−記録再生部
１０６−デコーダ
１０７−出力部
１０８−ＯＳＤ生成部
１０９−ＡＶ出力端子
１１０−受信部
１１１−記憶部
１１１Ａ−設定テーブル
１１１Ｂ−履歴テーブル
２００−リモコン
２０４−決定キー
２０５−番号キー
３００−ＴＶ
【図１】
2008287840.tif 000003
【図２】
2008287840.tif 000004
【図３】
2008287840.tif 000005
【図４】
2008287840.tif 000006
【図５】
2008287840.tif 000007
【図６】
2008287840.tif 000008